【事件の表示】
　特願２００３−２８１２６４「濃度測定装置および濃度測定方法」拒絶査定不服審判事件〔平成１６年１１月　４日出願公開、特開２００４−３０９４５１〕について、次のとおり審決する。
【結　論】
　本件審判の請求は、成り立たない。
【理　由】
第１　手続の経緯・本願発明
　本件は、平成１５年７月２８日（優先権主張平成１５年３月２６日）の出願（以下、「本件出願」という。）であって、拒絶査定が平成１８年９月７日付けでされた（発送日：同月１２日）ところ、拒絶査定不服審判が同年１０月１２日に請求されるとともに同年１１月１３日付けで手続補正書が提出され、当審において平成２０年８月２０日付けで通知した拒絶の理由に対し、意見書及び手続補正書が同年１０月２７日に提出されたものであって、本件出願の請求項１〜１０に係る発明は、平成２０年１０月２７日提出の手続補正書により補正された特許請求の範囲の記載からみて、その特許請求の範囲の請求項１〜１０に記載された事項により特定されるとおりのものであって、その請求項１に係る発明（以下、「本願発明」という。）は、次のとおりのものと認める。
　　　　　　　　
【請求項１】「測定対象である鉛蓄電池の電解液中に設けられ、９４０ｎｍから１０３０ｎｍの範囲から選択される少なくとも一の波長の光を少なくとも発光する発光手段と、
　前記９４０ｎｍから１０３０ｎｍの範囲から選択される少なくとも一の波長の光を少なくとも受光し受光量に応じた電気信号値を出力する受光手段と、
　少なくとも、前記電解液に接する面が前記発光手段から出射された光の光軸および前記電解液の液面に対してほぼ垂直になるように配置した発光側平面部材と、前記発光手段を覆いかつ前記発光側平面部材を固定し前記電解液の浸入を防止した発光側容器と、を有し、前記出射された光を、前記発光側平面部材を通過させて前記光軸に対してほぼ平行な平行光として前記電解液側に出射する平行化手段と、
　を備え、
　前記発光手段と前記受光手段との間に前記電解液を介在させ、予め求められた、水による前記波長の光の吸収と水の量との関係を利用した前記受光量と前記電解液の濃度との関係をもとに、前記電解液の濃度を測定することを特徴とする濃度測定装置。」
　　　　　　　　　　
 第２　当審の拒絶理由 
　一方、当審において平成２０年８月２０日付けで通知した拒絶の理由の概要は、本件出願の請求項１〜８に係る発明は、本件本願の優先権主張の日より前の昭和６２年８月４日に頒布された特開昭６２−１７７８７２号公報（以下、「引用刊行物Ａ」という。）に記載された発明及び周知の技術事項に基づいて当業者が容易に発明をすることできたものであるから、特許法第２９条第２項の規定により特許を受けることができない、というものである。
　　　　　　　　　　　　
第３　引用刊行物記載の発明 
 （３Ａ）当審の拒絶の理由で引用した上記引用刊行物Ａには、下記の事項が図面とともに記載されている。（なお、下線の一部は、当審で付与したものである。）
（３Ａ−１）「
技術分野
（３Ａ−２）「
構成
（３Ａ−３）「本発明によるバッテリ充電量測定方法にあっては、バッテリの充，放電によりバッテリ溶液が次式にしたがって化学変化する際、放電時の溶液中に発生するＯＨ基によって光吸収作用がなされる点に着目し、ＯＨ基による光吸収の量を、ＯＨ基により光吸収される第３次高調波の波長λ１（約９７５ｎｍ）をもった光をバッテリ溶液中に透過させたときの透過率の低下をみることによって測定するようにしている。 
  
 　その際、汚れなどによるバッテリ溶液自体による透過率の低下の影響をなくすために、前記波長λ１に比較的近く、ＯＨ基などのバッテリ溶液の反応によっては光吸収されることがない安定な帯域にある透過率の高い近赤外域の波長λ２（約１０７０ｎｍ）をもった光をバッテリ溶液中に通過させたときの透過率の低下を測定し、その測定値にもとづいて単位体積当りＯＨ基での光吸収による透過率の低下を相対的に求めるようにする。 
 　すなわち、この場合には、 
  
 の比によるバッテリ溶液の反応状態をみることによってバッテリの充電量を測定することができる。」（２頁右上欄２〜左下欄４行）
（３Ａ−４）「第１図は本発明による
バッテリ充電量測定
装置
ＯＨ基による光吸収波長λ１と非吸収波長λ２とを含む波長帯域をもった発光スペクトルをもつ光源１
その通過光Ｐ′を目的とする波長λ１，λ２の各波長選択性をもった
光学フィルタ３１，３２を介して
受光素子４１，４２によりそれぞれ受光
その各受光素子４１，４２の出力Ｉ１，Ｉ２にもとづいて演算処理回路５により相対比Ｉ１／Ｉ２を求めてバッテリの充電量に比例した測定出力を生じさせる
（３Ａ−５）第１図には、透明な容器の両側に光源１と受光素子４１，４２を対向して配置し、面に光源１と夫光源１の光Ｐを透明な容器の一方の側面から入射させ、透明な容器内のバッテリ溶液を通過し、容器の他方の側面から出射した透過光Ｐ′を受光素子４１，４２で受光することが描かれている。 
　　
　上記（３Ａ−１）〜（３Ａ−５）の記載より、引例刊行物Ａには、 
 「ＯＨ基による光吸収波長λ１（約９７５ｎｍ）と非吸収波長λ２（約１０７０ｎｍ）とを含む波長帯域をもった発光スペクトルをもつ光源１と、
　光源１から発せられる光Ｐを透明な容器に入れられたバッテリ溶液中に通し、その通過光Ｐ′を目的とする波長λ１，λ２の各波長選択性をもった光学フィルタ３１，３２を介して受光する受光素子４１，４２とを有し、
　光源１と受光素子４１，４２は透明な容器の両側に対向して配置されるとともに、
　その各受光素子４１，４２の出力Ｉ１，Ｉ２にもとづいて演算処理回路５により相対比Ｉ１／Ｉ２を求めてバッテリの充電量に比例した測定出力を生じさせる、バッテリ充電量測定装置。」（以下、「引用発明」という。）が記載されているものと認められる。 
　　　　　　　　　　
（３Ｂ）請求人の補正案に対して、当審の拒絶の理由で引用した特開平６−３４１９５４号公報（以下、「引用刊行物Ｂ」という。）には、下記の事項が図面とともに記載されている。（なお、下線は、当審で付与したものである。）
（３Ｂ−１）「【０００１】
【産業上の利用分野】本発明は、
蓄電池の電気容量を光学的、かつ電気的に
計測する
装置に関する
（３Ｂ−２）「【００１２】
【作用】図６に
蓄電池内部における充放電反応
を示す
この反応は、鉛−硫酸電池の反応
である
放電の際には
蓄電池電解液中の硫酸濃度が下がり、液の比重は、水の比重に近づく
【００１３】図４は、前記赤外領域の波長における蓄電池電解液を透過した光強度と蓄電池電解液の比重との関係を示している。すなわち、
蓄電池電解液の比重が下がると透過光強度が増加する
充電の際には
蓄電池電解液の硫酸の濃度は増加し、逆に水の濃度が減少するため、赤外領域の光の透過光強度は減少し、充電完了時には放電前の透過光強度に復帰する
（３Ｂ−３）「【００２３】次に、上述の実施例１，２（図１，２）の測定法が適用される装置構成例を説明する。図１１は実施例１の場合を示し、サンプル１０は被測定蓄電池の電解液であり、
光源１１
から発光される赤外光をサンプル１０に照射し、その透過光を受光素子
１２により受光し
出射光計測器１３にて光強度を計測する
(３Ｂ−４）「【００２５】・・・図１６は計測器３０の外観を示し、計測器３０にはコード３１を介して
電解液中に挿入されるセンサ３２が取り付けられる
センサ３２は
ケース３３
光源１１、受光素子１２
が配され
ケース３３に対向して設けた光学窓３５の間のケース３３外に電解液が充満され、この電解液を透過した光を計測するようになっている
図１９は蓄電池１７の電解液１８中にセンサ３２を臨ませて計測を行う状態を示す。
（３Ｂ−５）「【００２６】図２０乃至図２３は蓄電池１７のケース３７自体に透過光計測のための光学窓３８を設け、かつ、その周辺に計測用の光源１１や受光素子１２を配置した構成例を示す。図２０は蓄電池電解液に対し横方向に光透過させ、図２１は電解液に対して深さ方向に光透過させてそれぞれ計測し、図２２は蓄電池の一側面に光源１１と受光素子１２とを配し、電解液での散乱光又は反射光を計測する。図２３はプリズム又は反射鏡３９を用いて電解液の深さ方向（水平方向でも可）に透過光を往復させるようにした例である。」
（３Ｂ−６）「【００３２】・・・また、赤外光の波長を電解液の透過率の大きい領域（１４５０ｎｍより短い波長）すなわち吸収率の小さい領域（例えば１１７０ｎｍ前後）に選択すれば、赤外光を長い光路長で透過させることができるため、従来技術で不可能とされていた電解槽の深い蓄電池での電解液比重の正確な測定が可能になる。」
（３Ｂ−７）図１７及び図１９を参照すると、図１９には、センサ３２の光源１１から出射された光の光軸と蓄電池１７の電解液１８の液面とがほぼ平行にすることが描かれている。
（３Ｂ−８）図２３には
光学窓３８を有するケースの一部の先端空間部が蓄電池の電解液の液面にほば垂直な方向から電解液中に挿入され、その先端空間部に光源１１、受光素子１２を配置する
　　　　
（３Ｃ）請求人の補正案に対して、当審の拒絶の理由で引用した特開平６−３４１９５４号公報（以下、「引用刊行物Ｃ」という。）には、下記の事項が図面とともに記載されている。（なお、下線の一部は、当審で付与したものである。）
（３Ｃ−１）「【０００１】
【産業上の利用分野】本発明は、蓄電池の電気容量を光学的、かつ電気的に連続して計測する方法及びその装置に関する。」
（３Ｃ−２）「【００１３】
【作用】図７に
蓄電池内部における充放電反応
を示す
この反応は、鉛−硫酸電池の反応
である
放電の際には
蓄電池電解液中の硫酸濃度が下がり、液の比重は水の比重に近づく
充電を行なえば
電池電解液の水の濃度が減少し硫酸の濃度が増加するため、蓄電池電解液の比重は、放電前の比重に回復する。
（３Ｃ−３）「【００３８】・・・図１２は、実施例１の場合を示し、サンプル１０は被測定蓄電池の電解液であり、
光源１１
から発光される紫外光
その透過光を受光素子
１２により受光し、出射光計測器１３にて光強度を計測する
（３Ｃ−４）「【００４０】・・・図１７は計測器３０の外観を示し、計測器３０にはコード３１を介して
電解液中に挿入されるセンサ３２が取り付けられる
センサ３２は、
ケース３３内部に、光源１１、受光素子１２
が配され
ケース３３に対向して設けた光学窓３５の間のケース３３外に電解液が充満され、この電解液を透過した光を計測するようになっている。図２０は蓄電池１７の電解液１８中にセンサ３２を臨ませて計測を行なう状態を示す。
（３Ｃ−６）図１７及び図１９を参照すると、図１９には、センサ３２の光源１１から出射された光の光軸と蓄電池１７の電解液１８の液面とがほぼ平行にすることが描かれている。
（３Ｃ−７）図２３には
光学窓３８を有するケースの一部の先端空間部が蓄電池の電解液の液面にほば垂直な方向から電解液中に挿入され、その先端空間部に光源１１、受光素子１２を配置する
 　 
第４　対比・検討 
（４−１）引用発明と本願発明とを対比する。 
（i）引用発明の「光源１」は、ＯＨ基による光吸収波長λ１（約９７５ｎｍ）と非吸収波長λ２（約１０７０ｎｍ）とを含む波長帯域をもった発光スペクトルをもつ光源であり、他方、本願発明の「発光手段」は「９４０ｎｍから１０３０ｎｍの範囲から選択される少なくとも一の波長の光を少なくとも発光する発光手段」であるから、引用発明の光源１の発光スペクトルには、約９７５ｎｍのＯＨ基による光吸収波長λ１が含まれることから、引用発明の「光源１」は本願発明の「４０ｎｍから１０３０ｎｍの範囲から選択される少なくとも一の波長の光を少なくとも発光する発光手段」に相当する。 
（ii）引用発明の「光学フィルタ３１，３２を介して受光する受光素子４１，４２」は、光源１から発せられる光Ｐを透明な容器に入れられたバッテリ溶液中に通し、その通過光Ｐ′を目的とする波長λ１，λ２の各波長選択性をもった光学フィルタ３１，３２を介して受光するものであり、さらに、受光素子が、例えば、特開昭６１−２３９１２４号公報の２頁右上欄１９行〜左下欄１行に記載されているように、受光した光に応じて電気信号を出力することは技術常識である。
　他方、本願発明の「受光手段」は、９４０ｎｍから１０３０ｎｍの範囲から選択される少なくとも一の波長の光を少なくとも受光するものであるから、引用発明の「光学フィルタ３１，３２を介して受光する受光素子４１，４２」と本願発明の「受光手段」とは、「所定の波長の光を受光し受光量に応じた電気信号値を出力する受光手段」で共通する。
（iii）上記引用刊行物Ａの摘記事項（３Ａ−３）の化学反応式に示されるように引用発明の「バッテリ溶液」は、充電及び放電を行う鉛蓄電池の溶液であるから、本願発明の「鉛蓄電池の電解液」に相当する。そして、引用発明の「光源１と受光素子４１，４２」は、透明な容器の両側に対向して配置され、「受光素子４１，４２」が、光源１から発せられる光Ｐを透明な容器に入れられたバッテリ溶液中に通し、その通過光Ｐ′を目的とする波長λ１，λ２の各波長選択性をもった光学フィルタ３１，３２を介して受光することから、引用発明の「光源１と受光素子４１，４２」は、本願発明の濃度測定装置と同様に「発光手段と前記受光手段との間に前記電解液を介在させ」るものである。
（iv）本件出願の明細書の段落【０００５】、【００４１】には、それぞれ「ここで、従来から、鉛蓄電池の電解液の硫酸濃度を測定する装置には各種のものがある。その一つとして、電解液の比重を測定するものがある。一般に、鉛蓄電池の電解液の硫酸濃度は、放電反応が進むにつれて低くなり、結果的に電解液の比重が低くなる。一方、充電反応が進むにつれて電解液の硫酸濃度が高くなり、結果的に電解液の比重が高くなる。したがって、この電解液の比重を測定することによって電解液の硫酸濃度を測定することができる。」こと、「以上説明したように、本発明にかかる測定装置および測定方法によれば、電解液に含まれる水の分光吸収スペクトルの吸収領域に属する波長の光を指標とし、かかる波長の光を測定の対象である電解液に発し電解液を透過した光の光量を検出することにより、鉛蓄電池の電解液を構成する硫酸の濃度を簡便に測定することが可能である。」ことが記載されていることから、本願発明の「濃度測定装置」が、「予め求められた、水による前記波長の光の吸収と水の量との関係を利用した受光量と電解液の濃度との関係をもとに、前記電解液の濃度を測定する」ことは、「予め求められた、水による前記波長の光の吸収と水の量との関係を利用した受光量と電解液の特性変化との関係をもとに、鉛蓄電池の充放電による電解液の特性の変化を測定していることを意味するものである。
　他方、上記引用刊行物Ａの摘記事項（Ａ−２）には、「本発明はその目的達成のため、バッテリの放電によってバッテリ溶液が化学変化する際、その放電量に比例してその溶液中で生ずる光吸収作用に着目し、その光吸収の程度を測定することによって溶液の反応状態からバッテリ充電量を間接的にわり出すようにしている。」ことが記載されていることから、引用発明の「バッテリ充電量測定装置」が、「その各受光素子４１，４２の出力Ｉ１，Ｉ２にもとづいて演算処理回路５により相対比Ｉ１／Ｉ２を求めてバッテリの充電量に比例した測定出力を生じさせる」ことは、鉛蓄電池の電解液の充放電による電解液の特性の変化を測定していることを意味するものである。そして、上記摘記事項（Ａ−３）には、「本発明によるバッテリ充電量測定方法にあっては、バッテリの充，放電によりバッテリ溶液が次式にしたがって化学変化する際、放電時の溶液中に発生するＯＨ基によって光吸収作用がなされる点に着目し、ＯＨ基による光吸収の量を、ＯＨ基により光吸収される第３次高調波の波長λ１（約９７５ｎｍ）をもった光をバッテリ溶液中に透過させたときの透過率の低下をみることによって測定するようにしている。」ことが記載されており、このＯＨ基は、上記摘記事項（Ａ−３）の化学反応式の２Ｈ２Ｏ、すなわち水を意味することは明らかであるから、引用発明の「バッテリ充電量測定装置」が、その各受光素子４１，４２の出力Ｉ１，Ｉ２にもとづいて演算処理回路５により相対比Ｉ１／Ｉ２を求めてバッテリの充電量に比例した測定出力を生じさせることは、水による波長の光の吸収と水の量との関係を利用して受光量と電解液の特性の変化との関係のもとに、鉛蓄電池の充放電による電解液の特性の変化を測定していることを意味するものである。さらに、上記摘記事項（Ａ−２）には、「本発明は・・・その放電量に比例してその溶液中で生ずる光吸収作用に着目し、その光吸収の程度を測定することによって溶液の反応状態からバッテリ充電量を間接的にわり出すようにしている。」ことが記載されていることから、引用発明の「バッテリ充電量測定装置」は、測定した光吸収の程度とバッテリ充電量とは予め求められた関係にあることをもとにバッテリ充電量を測定していることは明らかである。
　したがって、引用発明の「バッテリ充電量測定装置」と本願発明の「濃度測定装置」とは、「予め求められた、水による前記波長の光の吸収と水の量との関係を利用した前記受光量と前記電解液の特性の変化との関係をもとに、前記電解液の特性の変化を測定する測定装置。」である点で共通するものである。
　　　　　　　　　　　　　　
　そうすると、本願発明と引用発明とは、 
「９４０ｎｍから１０３０ｎｍの範囲から選択される少なくとも一の波長の光を少なくとも発光する発光手段と、
　所定の波長の光を受光し受光量に応じた電気信号値を出力する受光手段と、
　を備え、
　前記発光手段と前記受光手段との間に電解液を介在させ、予め求められた、水による前記波長の光の吸収と水の量との関係を利用した前記受光量と前記電解液の特性の変化との関係をもとに、前記電解液の特性変化を測定する測定装置。」
　である点で一致し、次の相違点（ア）〜相違点（ウ）で相違している。
　　
・相違点（ア）  
　所定の波長の光を受光し受光量に応じた電気信号値を出力する受光手段が、本願発明では、「９４０ｎｍから１０３０ｎｍの範囲から選択される少なくとも一の波長の光を少なくとも受光し受光量に応じた電気信号値を出力する受光手段」とであるのに対して、引用発明では、波長λ１（約９７５ｎｍ），λ２（約１０７０ｎｍ）の各波長選択性をもった光学フィルタ３１，３２を介して受光する受光素子４１，４２とである点。
　　
・相違点（イ）
　本願発明では、発光手段と、所定の波長の光を受光し受光量に応じた電気信号値を出力する受光手段とが、「測定対象である鉛蓄電池の電解液中に設けられ」、「少なくとも、前記電解液に接する面が前記発光手段から出射された光の光軸および前記電解液の液面に対してほぼ垂直になるように配置した発光側平面部材と、前記発光手段を覆いかつ前記発光側平面部材を固定し前記電解液の浸入を防止した発光側容器と、を有し、前記出射された光を、前記発光側平面部材を通過させて前記光軸に対してほぼ平行な平行光として前記電解液側に出射する平行化手段」とを備えているのに対して、引用発明では、光源１と受光素子４１，４２は透明な容器の両側に対向して配置され、光源の構造が不明である点。
　　
・相違点（ウ）
　電解液の特性変化を測定する測定装置が、本願発明では「発光手段と前記受光手段との間に前記電解液を介在させ、予め求められた、水による前記波長の光の吸収と水の量との関係を利用した前記受光量と前記電解液の濃度との関係をもとに、前記電解液の濃度を測定することを特徴とする濃度測定装置」であるのに対して、引用発明では、各受光素子４１，４２の出力Ｉ１，Ｉ２にもとづいて演算処理回路５により相対比Ｉ１／Ｉ２を求めてバッテリの充電量に比例した測定出力を生じさせる、バッテリ充電量測定装置である点。
　　　　　　　　　
（４−２）当審の判断 
　そこで、上記相違点（ア）〜相違点（ウ）について判断する。
・相違点（ア）について
　上記引用刊行物Ａの摘記事項（Ａ−３）には「本発明によるバッテリ充電量測定方法にあっては、・・・ＯＨ基による光吸収の量を、ＯＨ基により光吸収される第３次高調波の波長λ１（約９７５ｎｍ）をもった光をバッテリ溶液中に透過させたときの透過率の低下をみることによって測定するようにしている。・・・ その際、汚れなどによるバッテリ溶液自体による透過率の低下の影響をなくすために、前記波長λ１に比較的近く、ＯＨ基などのバッテリ溶液の反応によっては光吸収されることがない安定な帯域にある透過率の高い近赤外域の波長λ２（約１０７０ｎｍ）をもった光をバッテリ溶液中に通過させたときの透過率の低下を測定し、その測定値にもとづいて単位体積当りＯＨ基での光吸収による透過率の低下を相対的に求めるようにする。」ことが記載されていることから、引用発明のバッテリ充電測定装置において、ＯＨ基による光吸収波長λ１（約９７５ｎｍ）と非吸収波長λ２（約１０７０ｎｍ）の各波長選択性をもった光学フィルタ３１，３２を介して受光する受光素子４１，４２を備えるのは、汚れなどによるバッテリ溶液自体による透過率の低下の影響をなくすためであることは明らかである。
　そうすると、汚れなどによるバッテリ溶液自体による透過率の低下の影響を考慮しなければ、引用発明のバッテリ充電量測定装置において、ＯＨ基による光吸収の量を、ＯＨ基により光吸収される波長λ１（約９７５ｎｍ）をもった光をバッテリ溶液中に透過させたときの透過率の低下をみることによってバッテリの充電量を測定するすればよいことは自明な事項であり、さらに、バッテリの充放電による電解液の特性の変化を測定する際に、光源からの光を１つの受光素子で受光することは周知（例えば、上記引用刊行物Ｂの摘記事項（３Ｂ−５）の図２３、摘記事項（３Ｂ−６）、上記引用刊行物Ｃの摘記事項（３Ｃ−５）の図２４参照）であることから、引用発明のバッテリ充電量測定装置において、ＯＨ基による光吸収の量を、ＯＨ基により光吸収される波長λ１（約９７５ｎｍ）をもった光をバッテリ溶液中に透過させたときの透過率の低下をみること、すなわち、本願発明のごとく、所定の波長の光を受光し受光量に応じた電気信号値を出力する受光手段を「９４０ｎｍから１０３０ｎｍの範囲から選択される少なくとも一の波長の光を少なくとも受光し受光量に応じた電気信号値を出力する受光手段」とすることは当業者が容易になし得たものである。
　　　　　　　　　　　　　　　
・相違点（イ）について
　バッテリの充放電による電解液の特性の変化を測定する際に、光源と受光素子を電解液が収容される容器の両側に対向して配置して、透過光量を測ることも、光源と受光素子を容器の電解液中に配置して透過光量を測ることもともに周知（上記引用刊行物Ｂの図２０、図１７、図１９、図２３、上記引用刊行物Ｃの図２１、図１８、図２０、図２４参照）であり、そのどちらを選択するかは当業者が必要に応じ適宜採用する選択事項にすぎないものである。
　そして、発光手段が、光源を覆い平面部材を固定するキャップと、出射された光を平面部材を通過させて光軸に対して平行な平行光にする光学系を有することは周知（例えば、特開昭５８−８７８８３号公報の２頁右上欄７〜１１行、第１図、第２図、特開平４−１８７７０号公報の１頁右下欄１〜７行、第４図参照）であり、さらに、上記引用刊行物Ｂの図１７、図１９の記載、上記引用刊行物Ｃの図１８、図１９の記載されているように、光源と受光素子を容器の液体の液面にほぼ平行になるように配置した周知の構成（他に、周知の構成として、特開平６−２４１９９６号公報の図１、図２の記載、及び特開平６−２５７４３１号公報の図１の記載参照）を採用した際には、キャップが固定する平面部材の液体に接する面が光源から出射された光の光軸および液体の液面に対してほぼ垂直になるように配置されることは明らかであり、また、発光手段を液体中にした際には、液体の侵入を防止することは当業者が当然採用すべき設計的事項にすぎないことから、引用発明の光源と受光素子を透明な容器の両側に対向して配置される構成の代わりに、光源と受光素子を容器の電解液中に配置する構成を採用するとともに、発光手段が、光源を覆い平面部材を固定するキャップと、出射された光を平面部材を通過させて光軸に対して平行な平行光にする光学系を有する周知の構成を採用して、上記相違点（イ）の構成を得ることは当業者が容易になし得るものである。
　　　　　　　　　　　　　　　
・相違点（ウ）について
　上記（４−１）の（iv）で検討したように、引用発明のバッテリ充電量測定装置が、その各受光素子４１，４２の出力Ｉ１，Ｉ２にもとづいて演算処理回路５により相対比Ｉ１／Ｉ２を求めてバッテリの充電量に比例した測定出力を生じさせることは、鉛蓄電池の充放電による電解液の特性の変化を測定していることを意味するものである。
　ところで、上記引用刊行物Ｂの摘記事項（３Ｂ−３）には、「【００１３】図４は、前記赤外領域の波長における蓄電池電解液を透過した光強度と蓄電池電解液の比重との関係を示している。すなわち、
蓄電池電解液の比重が下がると透過光強度が増加する
充電の際には
蓄電池電解液の硫酸の濃度は増加し、逆に水の濃度が減少するため、赤外領域の光の透過光強度は減少し、充電完了時には放電前の透過光強度に復帰する
　さらに、上記引用刊行物Ａの摘記事項（３Ａ−２）には「本発明はその目的達成のため、バッテリの放電によってバッテリ溶液が化学変化する際、その放電量に比例してその溶液中で生ずる光吸収作用に着目し、その光吸収の程度を測定することによって溶液の反応状態からバッテリ充電量を間接的にわり出すようにしている。」ことが記載されており、さらに、　上記（４−１）の（iv）で検討したように、引用発明のバッテリ充電量測定装置が、その各受光素子４１，４２の出力Ｉ１，Ｉ２にもとづいて演算処理回路５により相対比Ｉ１／Ｉ２を求めてバッテリの充電量に比例した測定出力を生じさせることは、水による波長の光の吸収と水の量との関係を利用して受光量と電解液の特性の変化との関係のもとに、鉛蓄電池の充放電による電解液の特性の変化を測定していることを意味するものであることから、バッテリ充電量測定装置の代わりに、電解液の濃度を測定する濃度測定装置とした際には、本願発明のごとく「発光手段と前記受光手段との間に前記電解液を介在させ、予め求められた、水による前記波長の光の吸収と水の量との関係を利用した前記受光量と前記電解液の濃度との関係をもとに、前記電解液の濃度を測定する」ことになるのは明らかである。
　　　　　　
　そして、本願発明によってもたらされる効果は、引用発明及び周知の技術事項から予測される範囲内のものであり、格別のものではない。 
　したがって、本願発明は、引用発明及び周知の技術事項に基づいて当業者が容易に発明をすることができたものである。 
 　　　　
第５　むすび
　以上のとおり、本願発明は特許法第２９条第２項の規定により特許を受けることができないものであるので、本件出願は、その余の請求項に係る発明を審理するまでもなく、当審で通知した上記拒絶の理由によって拒絶をすべきものである。
　よって、結論のとおり審決する。